(57)【要約】      （修正有）【課題】操作可能なカテーテルを提供すること。【解決手段】操作可能なカテーテル１００は、分岐血管の追跡及び選択を容易にし、並びに、介入デバイスを遠位解剖学的構造に送達している間、蛇行全体にわたってカテーテル本体を硬直させて、カテーテルを固定し、かつカテーテルが適所から後退することを最小にするための可撓性遠位シャフト５００を備え、可撓性遠位シャフトの可撓性は、第１の可撓方向１０２において任意の他の方向１０４よりも大きい。【選択図】図２Ａ
2020108758.tif 000002
【特許請求の範囲】
【請求項１】
操作可能なカテーテルであって、
可撓性遠位シャフトを備え、前記可撓性遠位シャフトは、
近位端部と、
遠位端部と、
第１の可撓方向と、
前記第１の可撓方向とは反対の第２の可撓方向と、
内層と、
深さ、外幅、及び内幅を備える複数のノッチを備えるセグメント化中間層であって、
前記深さ、前記外幅、及び前記内幅が、可撓角度に関連しており、
前記外幅が、前記内幅よりも大きく、かつ
前記複数のノッチが、前記第１の可撓方向に曲がるように構成されている、中間層と、
外層と、を有し、
前記可撓性遠位シャフトの可撓性は、前記第１の可撓方向において任意の他の方向よりも大きい、操作可能なカテーテル。
【請求項２】
前記複数のノッチは、第１の幾何学形状である、請求項１に記載の操作可能なカテーテル。
【請求項３】
前記複数のノッチのサブセットは、第２の幾何学形状の少なくとも１つを備える、請求項２に記載の操作可能なカテーテル。
【請求項４】
前記複数のノッチのサブセットは、第１の深さ、第１の外幅、第１の内幅、第２の深さ、第２の外幅、及び第２の内幅のうちの少なくとも１つを備える、請求項１に記載の操作可能なカテーテル。
【請求項５】
前記セグメント化中間層は、前記第２の可撓方向に曲がることに抵抗するように構成されている、請求項１に記載の操作可能なカテーテル。
【請求項６】
前記外層は、弾性である、請求項１に記載の操作可能なカテーテル。
【請求項７】
近位端部と、遠位端部と、を備える中間シャフトであって、前記中間シャフトの前記遠位端部は前記可撓性遠位シャフトの前記近位端部に接続されている、中間シャフトと、
近位端部と、遠位端部と、を備える近位シャフトであって、前記近位シャフトの前記遠位端部は前記中間シャフトの前記近位端部に接続されている、近位シャフトと、
近位端部と、遠位端部と、を備える近位ハブであって、前記近位ハブの前記遠位端部は前記近位シャフトの前記近位端部に接続されている、近位ハブと、を更に備える、請求項１に記載の操作可能なカテーテル。
【請求項８】
前記近位シャフトは、近位シャフト可撓性を備え、
前記中間シャフトは、中間シャフト可撓性を備え、
前記可撓性遠位シャフトの前記可撓性は、前記中間シャフト可撓性よりも大きく、
前記可撓性遠位シャフトの前記可撓性は、前記近位シャフト可撓性よりも大きく、
前記中間シャフトの前記可撓性は、前記近位シャフト可撓性よりも大きく、
前記近位シャフト可撓性から前記中間シャフト可撓性への、そして前記可撓性遠位シャフトの前記可撓性への可撓性の変化が、トルクを前記カテーテルの長さに沿って伝達することを可能にする、ことを更に含む、請求項７に記載の操作可能なカテーテル。
【請求項９】
前記近位ハブは、前記操作可能なカテーテルの前記第１の可撓方向を示すラベルを備える、請求項７に記載の操作可能なカテーテル。
【請求項１０】
前記外層は、前記第１の可撓方向を決定するために、放射線不透過性要素を備える、請求項１に記載の操作可能なカテーテル。
【請求項１１】
操作可能なカテーテルであって、
可撓性遠位シャフトを備え、前記可撓性遠位シャフトは、
第１の一次可撓方向と、
第２の一次可撓方向と、
第１の二次可撓方向と、
第２の二次可撓方向と、
内層と、
異なって配向されたノッチを有するセグメント化中間層と、
外層と、を有し、
前記ノッチは、
一次深さ、一次外幅、及び一次内幅を備える複数の一次ノッチであって、前記一次深さ、前記一次外幅、及び前記一次内幅が、前記一次可撓角度に関連し、前記一次外幅が、前記一次内幅よりも大きく、前記複数の一次ノッチが、前記第１の一次可撓方向に曲がるように構成されている、複数の一次ノッチと、
二次深さ、二次外幅、及び二次内幅を備える複数の二次ノッチであって、前記二次深さ、前記二次外幅、及び前記二次内幅が、前記二次可撓角度に関連し、前記二次外幅が、前記二次内幅よりも大きく、前記複数の二次ノッチが、前記第１の二次可撓方向に曲がるように構成されている、複数の二次ノッチと、を備える、操作可能なカテーテル。
【請求項１２】
前記近位ハブは、前記第１の一次可撓方向及び前記第１の二次可撓方向を示すラベルを含む、請求項１１に記載の操作可能なカテーテル。
【請求項１３】
前記外層は、弾性である、請求項１１に記載の操作可能なカテーテル。
【請求項１４】
前記外層は、前記第１の一次可撓方向を決定するために、放射線不透過性要素を備える、請求項１１に記載の操作可能なカテーテル。
【請求項１５】
前記外層は、前記第１の二次可撓方向を決定するために、放射線不透過性要素を備える、請求項１１に記載の操作可能なカテーテル。
【発明の詳細な説明】
【技術分野】
【０００１】
本発明は、一般に、医療器具に関し、より具体的には、操作可能な係止カテーテルシステムに関する。
【背景技術】
【０００２】
カテーテルは、患者の脈管に入る柔軟な脈管構造とすることができる。カテーテルは、様々な目的及び用途に使用することができる。例えば、カテーテルは、脈管内の特定の目的とする特定の領域に導入することができ、次に、そのルーメンから、他の末梢中心静脈又は動脈デバイスを導入するためのガイドとして働く。このようなデバイスは、単一ルーメン又は多重ルーメンカテーテル、凝血塊捕捉デバイス、バルーンカテーテルなどを含むことができる。
【０００３】
蛇行する解剖学的構造を通したカテーテルの追跡は、特に、より大きい直径のカテーテルの場合に困難であり得る。これらのカテーテルは、蛇行が存在する際には追跡することが困難であり、分岐血管を選択することがそれをより困難にする。加えて、蛇行脈管を通してカテーテルを追跡し、カテーテルのルーメンを通して介入デバイス（ステント、血餅レトリーバ、吸引カテーテルなど）を前進させると、しばしば、カテーテルが適所から後退することがある。これが発生した場合、医師は、介入デバイスを取り除き、次いで、介入デバイスの送達を再度行う前に、カテーテルによって蛇行セグメントに再度アクセスしなければならない。
【発明の概要】
【発明が解決しようとする課題】
【０００４】
したがって、当分野のこれら問題及び他の問題を解決するための、より制御されたやり方で対象の場所までカテーテルを安全かつ効率よく前進させる新しいデバイスに対する必要性が残る。
【課題を解決するための手段】
【０００５】
本発明は、分岐血管の追跡及び選択を容易にし、並びに、介入デバイスを遠位解剖学的構造に送達している間、蛇行部にわたってカテーテル本体を硬直させて、カテーテルを固定し、かつカテーテルが適所から後退することを最小にするための手段を提供する。
【０００６】
カテーテルは、可撓性遠位端部を有するトルク付与可能なシャフトから成る。可撓性遠位端部は、一方向において可撓性であり、反対方向においてはより硬く構成することができる。遠位端部の可撓性は、一方向に曲がるのは容易にするが、反対方向に曲がるのには抵抗するように設計された遠位アセンブリの特徴によって管理される。レーザ切断した管状要素を備える特徴は、好ましくは一方向には屈曲するが、反対方向への湾曲には抵抗するように構成されている。管状要素は、可撓性ポリマー層の間に、カプセル化される（融着される）。
【０００７】
カテーテルのハブは、ユーザが脈管を通してカテーテルをより容易に操作することができるように、ラベル付けして可撓性の方向を示す。ユーザが、分岐点に接近し、分岐血管の方向以外の方向に血管を追跡することを望む場合、ユーザは、遠位要素の可撓方向が分岐点から離れる方向であるようにシャフトにトルク付与し、このようにして、分岐点から離れるデバイスの追跡を容易にする。ユーザが、分岐点の方向に追跡することを望む場合、ユーザは、遠位要素の可撓方向が分岐点の方向であるようにシャフトにトルク付与し、このようにして、分岐血管への接近を容易にする。蛇行部を通してアクセスし、かつカテーテルが適所から後退することを防止するために、ユーザは、上で説明したように、最初に、蛇行部を通してアクセスするために可撓性セグメントを配向する。カテーテルが蛇行セグメントと交差すると、ユーザは、可撓性セグメントが顕著な湾曲の内部を逆戻りし、かつ可撓性セグメントを湾曲の内部でより少なく硬直するように、カテーテルにトルク付与する。これは、介入デバイスがカテーテルのルーメンを通して追跡されるときに、湾曲内でカテーテル自体を係止し、逆向きの移動に抵抗することになる。
【０００８】
本明細書では、蛇行する解剖学的構造を通したカテーテルの追跡及び当分野の他の問題に対処することができる、操作可能なカテーテル又は操作可能な係止カテーテルのための様々な例示的なデバイスを開示する。
【０００９】
本デバイスは、一般に、近位ハブと、近位シャフトと、中間シャフトと、可撓性遠位シャフトと、を含むことができる。可撓性遠位シャフトは、近位端部と、遠位端部と、を有する。中間シャフトは、近位端部と、遠位端部と、を有し、中間シャフトの遠位端部は、可撓性遠位シャフトの近位端部に接続される。近位シャフトは、近位端部と、遠位端部と、を有し、近位シャフトの遠位端部は、中間シャフトの近位端部に接続される。近位ハブは、近位端部と、遠位端部と、を備え、近位ハブの遠位端部は、近位シャフトの近位端部に接続される。
【００１０】
本デバイスはまた、一般に、第１の可撓方向と、第１の可撓方向とは反対の第２の可撓方向と、を有する、可撓性遠位シャフトも含むことができる。可撓性遠位シャフトは、第１の可撓方向が所望の進行方向の方向にあるようにトルク付与することができ、したがって、脈管又は所望の血管の分岐点へのアクセスを容易にする。デバイスはまた、一般に、３つの層、すなわち、内層と、複数のノッチを有するセグメント化中間層と、外層と、も含むことができる。セグメント化中間層のノッチは、可撓角度に関連し、かつ可撓性遠位シャフトが第１の可撓方向に曲がることを可能にする、深さと、外深さと、内幅と、を有する。
【００１１】
操作可能なカテーテルの例示的なデバイスは、外幅が内幅よりも大きいノッチを含むことができる。より大きい外幅は、可撓性遠位シャフトが、第１の可撓方向においてより大きい可撓性を有すること可能にする。操作可能なカテーテルの別の例示的なデバイスは、異なる深さ及び幅であるノッチを含むことができる。ノッチの第１の深さ及び第２の深さは、同じ深さを有するノッチに対して、増加した、減少した、又は同じ可撓性を提供するように選択することができる。第１の深さ及び第２の深さは、可撓性遠位シャフト上の特定の１つ若しくは複数の地点、又は１つ若しくは複数の場所での可撓性を増加又は減少させることを可能にする可撓性へのカスタム化を提供するように選択することができる。第１の外幅及び第２の外幅は、同じ外幅を有するノッチに対して、増加した、減少した、又は同じ可撓性を提供するように選択することができる。第１の外幅及び第２の外幅深さは、可撓性遠位シャフト上の特定の１つ若しくは複数の地点、又は１つ若しくは複数の場所での可撓性を増加又は減少させることを可能にする可撓性へのカスタム化を提供するように選択することができる。
【００１２】
第１の内幅及び第２の内幅は、同じ内幅を有するノッチに対して、増加した、減少した、又は同じ可撓性を提供するように選択することができる。第１の内幅及び第２の内幅深さは、可撓性遠位シャフト上の特定の１つ若しくは複数の地点、又は１つ若しくは複数の場所での可撓性を増加又は減少させることを可能にする可撓性へのカスタム化を提供するように選択することができる。
【００１３】
操作可能なカテーテルの別の例示的なデバイスは、第１の幾何学形状のノッチを含むことができる。ノッチの幾何学形状は、増加した可撓性又は減少した可撓性を含む、様々な可撓性を提供するように選択することができる。ノッチの幾何学形状は、可撓性遠位シャフト上の特定の１つ若しくは複数の地点、又は１つ若しくは複数の場所での可撓性を増加又は減少させることを可能にする可撓性へのカスタム化を提供するように選択することができる。
【００１４】
操作可能なカテーテルの別の例は、２つの幾何学形状のノッチを含むことができ、第１の幾何学形状を有する少なくとも１つのノッチ及び第２の幾何学形状を有する少なくとも１つのノッチが存在する。
【００１５】
２つの幾何学形状は、増加又は減少した可撓性を含む、様々な可撓性を提供するように選択することができる。２つの幾何学形状は、可撓性遠位シャフト上の特定の１つ若しくは複数の地点、又は１つ若しくは複数の場所での可撓性を増加又は減少させることを可能にする可撓性へのカスタム化を提供するように選択することができる。
【００１６】
操作可能なカテーテルの別の例は、いくつかの異なる配向の１つ又は複数のノッチを含む。ノッチの異なる配向は、増加又は減少した可撓性を含む、様々な可撓性を提供するように選択することができる。ノッチの異なる配向は、可撓性遠位シャフト上の特定の１つ若しくは複数の地点、又は１つ若しくは複数の場所での可撓性を増加又は減少させることを可能にする可撓性へのカスタム化を提供するように選択することができる。
【００１７】
操作可能なカテーテルの別の例は、セグメント化中間層を含むことができる。セグメント化中間層は、ノッチを有することができる。ノッチは、第１の可撓角度に関連し、かつ可撓性遠位シャフトが第１の可撓方向に曲がることを可能にする、深さと、外幅と、うち幅と、を有する。加えて、ノッチは、第１の可撓角度の角度とは反対の第２の可撓角度に関連する、深さと、外幅と、内幅と、を有する。セグメント化中間層及びノッチは、第２の可撓方向に曲がることに抵抗するように構成することができる。
【００１８】
操作可能なカテーテルの別の例は、外層を含むことができる。外層は、弾性材料を含む、カテーテルに適した様々な材料から作製することができる。外層はまた、第１の可撓方向の識別を容易にするために、放射線不透過性要素も含むことができる。外層はまた、第２の可撓方向の識別を容易にするために、放射線不透過性要素も含むことができる。外層はまた、第１の可撓方向の識別を容易にするために、放射線不透過性要素も含むことができる。
【００１９】
操作可能なカテーテルの別の例は、近位シャフト可撓性を有する近位シャフトと、中間シャフト可撓性を有する中間シャフトと、を含むことができる。可撓性遠位シャフトの可撓性は、中間シャフト可撓性に対して大きく、小さく、又は等しくすることができる。可撓性遠位シャフトの可撓性は、近位シャフト可撓性に対して大きく、小さく、又は等しくすることができる。中間シャフトの可撓性は、近位シャフト可撓性に対して大きく、小さく、又は等しくすることができる。加えて、近位シャフトの可撓性は、近位シャフト可撓性に対して大きく、小さく、又は等しくすることができる。
【００２０】
操作可能なカテーテルの別の例は、操作可能なカテーテルの第１の可撓方向を示すラベルを有する、近位ハブを含むことができる。近位ハブは、操作可能なカテーテルの第２の可撓方向を示すラベルも有することができる。
【００２１】
操作可能なカテーテルを操作する例示的な方法は、第１の可撓方向を有する可撓性遠位シャフトと、深さ、外幅、及び内幅を有する複数のノッチを有するセグメント化中間層と、操作可能なカテーテルを回転させることと、第１の可撓方向が所望の進行方向の移動を容易にするように可撓性遠位シャフトを配向させることと、操作可能なカテーテルを所望の進行方向に前進させることと、を含むことができる。
【００２２】
本方法は、外幅が内幅よりも大きいノッチを含むことができる。本方法は、ノッチを含むことができ、複数のノッチが第１の可撓方向に曲がるように構成される。本方法は、第２の可撓方向を有する、可撓性遠位シャフトを含むことができる。本方法は、第１の可撓方向とは反対の第２の可撓方向を有する、可撓性遠位シャフトを含むことができる。本方法は、可撓性遠位シャフトを含むことができ、可撓性遠位シャフトの可撓性は、第１の可撓方向において、任意の他の方向よりもより大きい。
【００２３】
操作可能なカテーテルを係止する例示的な方法は、第１の可撓方向を有する可撓性遠位シャフトと、深さ、外幅、及び内幅を有する複数のノッチを有するセグメント化中間層と、操作可能なカテーテルを回転させることと、第１の可撓方向が所望の進行方向の移動を容易にするように可撓性遠位シャフトを配向させることと、操作可能なカテーテルを所望の進行方向に前進させることと、を含むことができる。
【００２４】
操作可能なカテーテルを係止する方法は、外幅が内幅よりも大きいノッチを含むことができる。本方法は、ノッチを含むことができ、複数のノッチが第１の可撓方向に曲がるように構成される。本方法は、第２の可撓方向を有する、可撓性遠位シャフトを含むことができる。本方法は、第１の可撓方向とは反対の第２の可撓方向を有する、可撓性遠位シャフトを含むことができる。本方法は、可撓性遠位シャフトを含むことができ、可撓性遠位シャフトの可撓性は、第１の可撓方向において、任意の他の方向よりもより大きい。
【００２５】
操作可能なカテーテルを係止する方法は、可撓性遠位シャフトが血管分岐の壁に接触して、所望の進行方向における可撓性遠位シャフトの移動を制限するように、操作可能なカテーテルを回転させて、第１の可撓方向に配向させることによって、可撓性遠位シャフトを適所に係止することを含むことができる。
【００２６】
操作可能なカテーテルを係止する方法は、可撓性遠位シャフトが血管分岐の壁に接触して、所望の進行方向における可撓性遠位シャフトの移動を制限するように、操作可能なカテーテルを回転させて、第１の可撓方向及び第２の可撓方向に配向させることによって、可撓性遠位シャフトを適所に係止することを含むことができる。
【００２７】
操作可能なカテーテルの一例は、第１の一次可撓方向、第２の一次可撓方向、第１の二次可撓方向、及び第２の二次可撓方向を提供するための、ノッチの異なる配向を含むことができる。第１の一次可撓方向は、第２の一次可撓方向と同じ方向ではない。第１の二次可撓方向は、第２の二次可撓方向と同じ方向ではない。
【００２８】
この例は、内層と、異なって配向されたノッチを有するセグメント化中間層と、外層と、を含むことができる。この例は、一次深さ、一次外幅、及び一次内幅を有する複数の一次ノッチを有するセグメント化中間層を含むことができる。この例は、セグメント化中間層を含むことができ、一次深さ、一次外幅、及び一次内幅が一次可撓角度に関連する。この例は、一次外幅が一次内幅よりも大きいセグメント化中間層を含むことができる。この例は、セグメント化中間層を含むことができ、複数の一次ノッチが第１の一次可撓方向に曲がるように構成される。
【００２９】
この例は、二次深さ、二次外幅、及び二次内幅を有する複数の二次ノッチを含むことができる。この例は、複数の二次ノッチを含むことができ、二次深さ、二次外幅、及び二次内幅が二次可撓角度に関連する。この例は、二次外幅が二次内幅よりも大きい複数の二次ノッチを含むことができる。この例は、複数の二次ノッチを含むことができ、複数の二次ノッチが第１の二次可撓方向に曲がるように構成される。
【００３０】
操作可能なカテーテルの別の例は、第１の一次可撓方向を示すラベルを含むことができる。この例は、第１の二次可撓方向を示すラベルを含むことができる。操作可能なカテーテルの別の例は、外層を含むことができる。外層は、弾性材料を含む、カテーテルに適した様々な材料から作製することができる。外層はまた、第１の一次可撓方向の識別を容易にするために、放射線不透過性要素も含むことができる。外層はまた、第２の一次可撓方向の識別を容易にするために、放射線不透過性要素も含むことができる。外層はまた、第１の二次可撓方向の識別を容易にするために、放射線不透過性要素も含むことができる。外層はまた、第２の二次可撓方向の識別を容易にするために、放射線不透過性要素も含むことができる。
【図面の簡単な説明】
【００３１】
本発明の上記及び更なる態様は、
添付の図面と併せて以下の説明を参照して更に考察され、様々な図面において、同様の数字は、同様の構造要素及び特徴を示す。図面は、必ずしも縮尺どおりではなく、代わりに、本発明の原理を例示することに主眼が置かれている。図は、限定としてではなく単なる例示として、本発明のデバイスの１つ又は２つ以上の実装形態を描写している。
【図１Ａ】本発明の操作可能な係止カテーテルの側面図である。
【図１Ｂ】図１Ａに示される本発明の遠位端部に位置付けられたノッチの断面図である。
【図１Ｃ】本発明のノッチの図である。
【図１Ｄ】本発明のノッチの図である。
【図１Ｅ】本発明のノッチの図である。
【図２Ａ】本発明の可撓方向の側面図である。
【図２Ｂ】本発明の可撓方向の側面図である。
【図３】第１の可撓方向に撓曲する可撓性遠位シャフトの側面図である。
【図４Ａ】操作可能なカテーテルを操作して、第１の可撓方向を所望の進行方向に配向させる方法の側面図である。
【図４Ｂ】操作可能なカテーテルを操作して、第１の可撓方向を所望の進行方向に配向させる方法の側面図である。
【図５Ａ】所望の血管分岐内に位置付けられた操作可能なカテーテル、及び第１の可撓方向の配向の側面図である。
【図５Ｂ】所望の血管分岐内に位置付けられた操作可能なカテーテル、及び第１の可撓方向の配向の側面図である。
【図６Ａ】可撓性遠位シャフトが血管分岐の壁と接触して可撓性遠位シャフトの移動を制限するように、操作可能なカテーテルを係止して第１の可撓方向に配向させる方法の側面図である。
【図６Ｂ】可撓性遠位シャフトが血管分岐の壁と接触して可撓性遠位シャフトの移動を制限するように、操作可能なカテーテルを係止して第１の可撓方向に配向させる方法の側面図である。
【図７Ａ】本発明の２つの異なる配向を有するノッチを有する操作可能な係止カテーテルの側面図である。
【図７Ｂ】図７Ａに示される本発明の遠位端部に位置付けられた、異なる配向を有するノッチの側面図である。
【図７Ｃ】図７Ａに示される本発明の遠位端部に位置付けられた、異なる配向を有するノッチの側面図である。
【図７Ｄ】図７Ａに示される本発明の遠位端部に位置付けられた、異なる配向を有するノッチの側面図である。
【図７Ｅ】図７Ａに示される本発明の遠位端部に位置付けられた、異なる配向を有するノッチの側面図である。
【図８Ａ】所望の血管分岐内に位置付けられた、異なる配向を有するノッチを有する操作可能なカテーテルの側面図である。
【図８Ｂ】所望の血管分岐内に位置付けられた、異なる配向を有するノッチを有する操作可能なカテーテルの側面図である。
【図８Ｃ】所望の血管分岐内に位置付けられた、異なる配向を有するノッチを有する操作可能なカテーテルの側面図である。
【図９】本発明の態様による例示的なデバイスの例示的な操作シーケンスの説明図である。
【図１０】本発明の態様による例示的なデバイスの例示的な係止シーケンスの説明図である。
【発明を実施するための形態】
【００３２】
図１Ａは、操作可能なカテーテルの側面図を例示する。例示されるように、操作可能なカテーテル１００は、近位ハブ２００と、近位シャフト３００と、中間シャフト４００と、可撓性遠位シャフトと、を有することができる。近位ハブ２００は、近位端部２５０と、遠位端部２６０と、を有することができる。近位ハブ２００は、ラベル２０２を有することができる。近位シャフト３００は、近位端部３５０と、遠位端部３６０と、を有することができる。中間シャフト４００は、近位端部４５０と、遠位端部４６０と、を有することができる。可撓性遠位シャフトは、近位端部５５０と、遠位端部５６０と、を有することができる。近位ハブ２００の遠位端部２６０は、近位シャフト３００の近位端部３５０に接続することができる。近位シャフト３００の遠位端部３６０は、中間シャフト４００の近位端部４５０に接続することができる。中間シャフト４００の遠位端部４６０は、可撓性遠位シャフトの近位端部５５０に接続することができる。操作可能なカテーテル１００は、第１の可撓方向１０２を有することができる。操作可能なカテーテル１００は、第２の可撓方向１０４を有することができる。第１の可撓方向１０２は、第２の可撓方向１０４の反対方向とすることができる。
【００３３】
近位シャフト３００は、可撓性近位シャフトを有することができ、中間シャフト４００は、可撓性中間シャフトを有することができる。中間シャフト４００の可撓性は、近位シャフト可撓性よりも大きくすることができ、可撓性遠位シャフト５００の可撓性は、中間シャフト及び近位シャフト可撓性のどちらよりも大きい。この硬さ又は可撓性の変動は、操作可能なカテーテル１００の長さに沿って、近位ハブ２００から可撓性遠位シャフト５００へのトルクのより容易な伝達を可能にする。これは、ユーザが、トルクを近位ハブ２００に印加して、第１の可撓方向１０２又は第２の可撓方向１０４のいずれかを利用して脈管を通してカテーテルを前進させるために必要とされる半径方向に、可撓性遠位シャフト５００を容易に配向することを可能にする。特定のカテーテル１００は、患者の内股から、心弓を通じて、患者の頭蓋骨内部の神経血管の中へ上に前進させることができ、したがって、距離及び蛇行がかなりのものであることに留意されたい。
【００３４】
近位シャフトと中間シャフトとの間の可撓性の変化は、シャフトの各部分について異なる材料を使用して形成することができ、各部分は、異なる硬さ又はデュロメータである。代替的に、近位シャフト及び中間シャフトは、同じ材料で作製することができ、追加的な層又は添加物をシャフトに提供して、個々の硬さを制御することができる。これらの例を組み合わせて、必要とされる可撓性及び／又は硬さを提供することができる。近位シャフト３００及び中間シャフト４００の各々は、それらの長さにわたって均一な硬さを有することができること、又は硬さを変動させることができることに留意されたい。一例として、近位シャフト３００の硬さは、遠位端部３６０の硬さが中間シャフト４００の近位端部４５０の硬さと一致するように、近位端部３５０から遠位端部３６０へ減少させることができる。この硬さの段階的な移行は、特定の例において、局所的な硬さの「転移点」を防止することができる。
【００３５】
図１Ｂは、図１Ａに表される操作可能なカテーテルの断面を例示する。例示されるように、操作可能なカテーテル１００は、内層５０２と、セグメント化中間層５０４と、外層５０６と、を有することができる。セグメント化中間層５０４は、図１Ｃ、１Ｄ、及び１Ｅに表されるように、ノッチ６００を有することができる。セグメント化中間層５０４、並びにノッチ６００のサイズ及び形状は、第１の可撓方向１０２に関連し得る。セグメント化中間層５０４、並びにノッチ６００のサイズ及び形状は、第２の可撓方向１０４に関連し得る。全てのカテーテル１００と同様に、手術用具若しくは手術器具の送達を可能にし、又は患者から凝血塊、組織、若しくは流体を取り出すための通路を提供するために、カテーテル１００の内部に沿って通過する内側ルーメン１０８が存在する。
【００３６】
図１Ｃ、１Ｄ、及び１Ｅは、様々なノッチを例示する。ノッチ６００は、セグメント化中間層５０４内に位置付けられる。ノッチ６００は、深さ６０２、６０２Ａ、又は６０２Ｂを有することができる。ノッチは、外幅６０４、６０４Ａ、又は６０４Ｂを有することができる。ノッチは、内幅６０６、６０６Ａ、又は６０６Ｂを有することができる。図１Ｃは、均一にサイズ決定されたノッチ６００を表し、複数のノッチが、同じ深さ６０２、外幅６０４、及び内幅６０６を有することができる。図１Ｄ及び１Ｅは、異なってサイズ決定された２つのノッチを表し、第１の深さ６０２Ａは、第２の深さ６０２Ｂとは異なり得る。第１の外幅６０４Ａは、第２の外幅６０４Ｂとは異なり得る。第１の内幅６０６Ａは、第２の内幅６０６Ｂとは異なり得る。
【００３７】
深さ６０２、外幅６０４、及び内幅６０６は、第１の可撓方向１０２における可撓性に関連し得る。深さ６０２、外幅６０４、及び内幅６０６は、第２の可撓方向１０４における可撓性に関連し得る。第１の深さ６０２Ａ、第１の外幅６０４Ａ、及び第１の内幅６０６Ａは、第１の可撓方向１０２における可撓性に関連し得る。第１の深さ６０２Ａ、第１の外幅６０４Ａ、及び第１の内幅６０６Ａは、第２の可撓方向１０４における可撓性に関連し得る。第２の深さ６０２Ｂ、第２の外幅６０４Ｂ、及び第２の内幅６０６Ｂは、第１の可撓方向１０２における可撓性に関連し得る。第２の深さ６０２Ｂ、第２の外幅６０４Ｂ、及び第２の内幅６０６Ｂは、第２の可撓方向１０４における可撓性に関連し得る。
【００３８】
実施例において、操作可能なカテーテル１００の第１の可撓方向１０２は、第２の可撓方向１０４よりも多い可撓性を提供することができる。一実施例において、第１の可撓方向１０２は、ノッチ６００を閉じることによって提供することができ、一方で、第２の可撓方向１０４は、ノッチ６００を開くことによって提供することができる。ノッチ６００の閉鎖は、ノッチ６００の外幅（６０４、６０４Ａ、又は６０４Ｂ）によって画定される側部を、互いに接触させる、又は少なくとも撓曲していないときよりも近づけることによって提供することができる。代替的に、ノッチ６００の閉鎖は、ノッチ６００が撓曲していないときと比較して、可撓角度１０６を低減させることによって提供することができる。ノッチ６００の開放は、ノッチ６００の外幅（６０４、６０４Ａ、又は６０４Ｂ）によって画定される側部を、撓曲していないときよりも互いに少なくとも更に離すことによって提供することができる。代替的に、ノッチ６００の開放は、ノッチ６００が撓曲していないときと比較して、可撓角度１０６を増加させることによって提供することができる。代替的に、第１の可撓方向１０２及び第２の可撓方向１０４における異なる可撓性は、上記のような異なる形状のノッチ６００によって生じさせることができる。可撓性の変動は、可撓性遠位シャフト５００の遠位端部５６０の撓みの量に変換することができる。
【００３９】
図２Ａ及び２Ｂは、操作可能なカテーテルの側面図であって、第１の可撓方向及び第２の可撓方向における潜在的な可撓性、並びに操作可能なカテーテルを操作する方法を例示する。可撓性遠位シャフト５００は、第１の可撓方向１０２において増加した可撓性を有することができる。可撓性遠位シャフト５００は、第２の可撓方向１０４において減少した可撓性を有することができる。操作可能なカテーテル７００を操作する方法は、好ましい配向に応じて操作可能なカテーテル１００を回転させて、第１の可撓方向１０２及び第２の可撓方向１０４を変更することを可能にする。一実施例において、ラベル２０２は、どちらの半径方向が可撓方向１０２、１０４のうちの１つ又は２つ以上に対応するのかに関するガイダンスをユーザに提供することができる。ユーザがカテーテル１００を前進させるときに、近位ハブ２００を回転させることで、脈管の特定のフォーク若しくは分岐の中又は所望の進行方向に前進させるために選択した方向に向かって、可撓性遠位シャフト５００を配向させることができる。
【００４０】
加えて、層５０２、５０４、５０６、５１０のうちの１つは、第１の可撓方向１０２及び／若しくは第２の可撓方向１０４、又は第１の一次可撓方向１４０、第２の一次可撓方向１４２、又は第１の二次可撓方向１５０及び第２の二次可撓方向１５２の識別を容易にするために、放射線不透過性要素を含むことができる。一実施例において、外層５０６は、放射線不透過性要素を有する。
【００４１】
図３は、操作可能なカテーテルを所望の進行方向に配向する能力を例示する、第１の可撓方向に撓曲させた操作可能なカテーテルの側面図を例示する。可撓性遠位シャフト５００は、第１の可撓方向１０２において、表される直角の角度を含む、いくつかの角度に撓曲させることができる。可撓性遠位シャフト５００は、操作可能なカテーテル１００を所望の進行方向１１０に前進させるのを容易にするように撓曲させることができる。一実施例において、第１の可撓方向１０２は、ノッチ６００のサブセットを閉じることによって提供することができ、一方で、第２の可撓方向１０４は、ノッチ６００のサブセットを開くことによって提供することができる。ノッチ６００のサブセットの閉鎖は、特定のノッチ６００の外幅（６０４、６０４Ａ、又は６０４Ｂ）によって画定される側部を、互いに接触させる、又は少なくとも撓曲していないときよりも近づけることによって提供することができる。代替的に、ノッチ６００の閉鎖は、ノッチ６００が撓曲していないときと比較して、可撓角度１０６を低減させることによって提供することができる。ノッチ６００のサブセットの開放は、特定のノッチ６００の外幅（６０４、６０４Ａ、又は６０４Ｂ）によって画定される側部を、撓曲していないときよりも互いに少なくとも更に離すことによって提供することができる。代替的に、ノッチ６００の開放は、ノッチ６００が撓曲していないときと比較して、可撓角度１０６を増加させることによって提供することができる。
【００４２】
図４Ａ及び４Ｂは、操作可能なカテーテルを所望の血管分岐の中へ操作する方法の側面図を例示する。操作可能なカテーテル１００は、第１の可撓方向１０２を所望の進行方向１１０に対して垂直に配向した状態で、一次血管１３０内に位置付けることができる。操作可能なカテーテル１００は、操作可能なカテーテル７００を操作する方法によって回転させて、第１の可撓方向１０２を所望の血管分岐１２０の方向に配向することができる。操作可能なカテーテル１００は、第１の可撓方向１０２が、操作可能なカテーテル１００を所望の血管分岐１２０の中へより容易に前進させることを可能にするように、所望の進行方向１１０に前進させることができる。
【００４３】
図５Ａ及び５Ｂは、第１の可撓方向の方向に撓曲するときの、可撓性遠位シャフトのノッチ及びそれらの配向を例示する。可撓性遠位シャフト５００は、所望の血管分岐１２０の方向に配向された第１の可撓方向１０２を有することができる。図５Ｂは、可撓性遠位シャフト及びノッチの拡大図を表す。ノッチ６００は、第１の可撓方向１０２に配向することができる。ノッチ６００は、可撓角度１０６を形成することができる。ノッチ６００は、操作可能なカテーテル１００の可撓性を第１の可撓方向１０２の方向に決定することができる。
【００４４】
図６Ａ及び６Ｂは、操作可能なカテーテルを係止する方法の側面図を例示する。操作可能なカテーテル８００を係止する方法は、可撓性遠位シャフト５００が血管分岐１２２の壁に接触して、所望の進行方向１１０における可撓性遠位シャフト５００の移動を制限するように、近位ハブ２００で可撓性遠位シャフト５００を回転させて、第１の可撓方向１０２に配向させることを含むことができる。図６Ｂは、血管分岐に対するノッチ及びそれらの配向の拡大側面図を表す。操作可能なカテーテル８００を係止する方法は、近位ハブ２００で可撓性遠位シャフト５００を回転させて、ノッチ６００を配向させることを含むことができ、当該ノッチは、第１の可撓方向１０２と同じ方向に配向される。
【００４５】
係止する一例は、第１の可撓方向１０２を使用して所望の分岐血管１２０に進入して、遠位可撓性シャフト５００を曲げて、分岐の中への「方向転換する」ことができる。これは、図５Ａ及び５Ｂに例示され、例示されるように、第１の可撓方向１０２は、湾曲の「内側」に方向付けられる。次いで、ユーザは、図６Ａ及び６Ｂに例示されるように、第１の可撓方向１０２が「内側」に対向するようにトルク付与するか、又はカテーテル１００を回転させる。第２の可撓方向１０４が湾曲の「内側」に面すると、その時点で、遠位可撓性シャフト５００がより「硬く」なる。より少ない可撓性を遠位シャフト５００の遠位端部５６０に変換することで、あたかもそれがより可撓性であるかのように「鋭く」方向転換させることができない。この時点で、可撓性遠位シャフト５００を移動させて、血管の「外側の」壁に接触させ、カテーテル１００を適所に「係止する」。カテーテル１００を係止することは、特定のプロシージャ中の、ルーメン１０８内の要素の展開、及びそこからの要素の取り出しを可能にすることに有益である。
【００４６】
図７Ａは、２つの異なる配向のノッチを有する操作可能なカテーテルの側面図を例示する。操作可能なカテーテル１００は、多数の異なる配向を有するノッチを含むことができる。例えば、ノッチの１つのセットが、第１の一次可撓方向１４０及び第２の一次可撓方向１４２の方向に配向される。ノッチの１つのセットが、第１の二次可撓方向１５０及び第２の二次可撓方向１５２の方向に配向される。
【００４７】
図７Ｂ及び７Ｃは、図７に表される操縦可能なカテーテルの断面図を例示する。操縦可能なカテーテル１００は、内層５０２と、異なって配向されたノッチ５１０を有するセグメント化中間層と、外層５０６と、を有することができる。図７Ｂは、第１の一次可撓方向１４０における可撓性を可能にするように配向された一次ノッチ６１０を有することができる、異なって配向されたノッチ５１０を有する、セグメント化中間層を例示する。図７Ｃは、第１の二次可撓方向１５０における可撓性を可能にするように配向された二次ノッチ６２０を有することができる、異なって配向されたノッチ５１０を有する、セグメント化中間層を例示する。
【００４８】
図７Ｄは、セグメント化中間層５１０内の一次ノッチ６１０を例示する。例えば、一次ノッチ６１０は、深さ６１２と、外幅６１４と、内幅６１６と、を有する。深さ６１２、外幅６１４、及び内幅６１６は、第１の一次可撓方向１４０における可撓性に関連し得る。深さ６１２、外幅６１４、及び内幅６１６は、第２の一次可撓方向１４２における可撓性に関連し得る。
【００４９】
図７Ｅは、セグメント化中間層５１０の二次ノッチ６２０を例示する。例えば、二次ノッチ６２０は、深さ６２２と、外幅６２４と、内幅６２４と、を有する。深さ６２２、外幅６２４、及び内幅６２６は、第１の二次可撓方向１５０における可撓性に関連し得る。深さ６２２、外幅６２４、及び内幅６２６は、第２の二次可撓方向１５２における可撓性に関連し得る。
【００５０】
図８Ａは、２つの異なる配向のノッチを有する操縦可能なカテーテルの側面図を例示する。操縦可能なカテーテル１００は、操縦可能なカテーテル１００が第１の一次可撓方向１４０及び第１の二次可撓方向１５０の可撓性を有するように、異なって配向されたノッチ５１０を有するセグメント化中間層を有することができる。図８Ｂ及び８Ｃは、第１及び第２の一次可撓方向に対する、一次及び二次ノッチ並びにそれらの配向の拡大側面図を表す。操縦可能なカテーテル１００は、第１の一次可撓方向１４０及び一次可撓角度１４４における可撓性を可能にする、一次ノッチ６１０を有することができる。操縦可能なカテーテル１００は、第２の一次可撓方向１５０及び二次可撓角度１５４における可撓性を可能にする、二次ノッチ６２０を有することができる。
【００５１】
実施例において、第１の一次可撓方向１４０は、一次ノッチ６１０のサブセットを閉じることによって提供することができ、一方で、第２の一次可撓方向１４２は、一次ノッチ６１０のサブセットを開くことによって提供することができる。一次ノッチ６１０のサブセットの閉鎖は、特定の一次ノッチ６１０の外幅６１４によって画定される側部を、互いに接触させる、又は少なくとも撓曲していないときよりも近づけることによって提供することができる。代替的に、一次ノッチ６１０の閉鎖は、一次ノッチ６１０が撓曲していないときと比較して、一次可撓角度１４４を低減させることによって提供することができる。一次ノッチ６１０のサブセットの開放は、特定の一次ノッチ６１０の外幅６１４によって画定される側部を、撓曲していないときよりも互いに少なくとも更に離すことによって提供することができる。代替的に、一次ノッチ６１０の開放は、一次ノッチ６１０が撓曲していないときと比較して、一次可撓角度１４４を増加させることによって提供することができる。
【００５２】
実施例において、第２の一次可撓方向１５０は、二次ノッチ６２０のサブセットを閉じることによって提供することができ、一方で、第２の二次可撓方向１５２は、二次ノッチ６２０のサブセットを開くことによって提供することができる。二次ノッチ６２０のサブセットの閉鎖は、特定の二次ノッチ６２０の外幅６２４によって画定される側部を、互いに接触させる、又は少なくとも撓曲していないときよりも近づけることによって提供することができる。代替的に、二次ノッチ６２０の閉鎖は、二次ノッチ６２０が撓曲していないときと比較して、二次可撓角度１５４を低減させることによって提供することができる。二次ノッチ６２０のサブセットを開くことは、特定の二次ノッチ６２０の外幅６２４によって画定される側部を、撓曲していないときよりも互いに少なくとも更に離すことによって提供することができる。代替的に、二次ノッチ６２０の開放は、二次ノッチ６２０が撓曲していないときと比較して、二次可撓角度１５４を増加させることによって提供することができる。
【００５３】
図９は、操縦可能なカテーテルを操縦するために実施することができる例示的な方法工程を概説するフロー図である。方法工程は、本明細書に記載される例示的な手段のいずれかによって、又は当業者に既知である任意の手段によって実装することができる。
【００５４】
図９に概説される方法７００を参照すると、工程７１０で、操縦可能なカテーテル１００を提供することができる。工程７２０で、操縦可能なカテーテル１００を回転させることができる。工程７３０で、操縦可能なカテーテル１００の可撓性遠位シャフト５００を好ましい方向に配向することができる。工程７４０で、操縦可能なカテーテル１００を所望の進行方向１１０に前進させて、可撓性遠位シャフト５００及びその第１の可撓方向１０２の配向から利益を得ることができる。
【００５５】
図１０は、操縦可能なカテーテルを係止するために実施することができる例示的な方法工程を概説するフロー図である。方法工程は、本明細書に記載される例示的な手段のいずれかによって、又は当業者に既知である任意の手段によって実装することができる。
【００５６】
図１０に概説される方法８００を参照すると、工程８１０で、操縦可能なカテーテル１００を提供することができる。工程８２０で、操縦可能なカテーテル１００を回転させることができる。工程８３０で、操縦可能なカテーテル１００の可撓性遠位シャフト５００を好ましい方向に配向することができる。工程８４０で、操縦可能なカテーテル１００を所望の進行方向１１０に前進させて、可撓性遠位シャフト５００及びその第１の可撓方向１０２の配向から利益を得ることができる。工程８５０で、操縦可能なカテーテル７００を操縦する方法に従って、可撓性遠位シャフト５００が血管分岐１２２の壁に接触して、所望の進行方向１１０における可撓性遠位シャフトの移動を制限するように、操縦可能なカテーテル１００を回転させて、可撓性遠位シャフト５００を第１の可撓方向１０２に配向することができる。
【００５７】
本明細書に含まれる記述は、本発明の実施形態の例であり、本発明の範囲を何ら制限するものではない。本明細書で説明されるように、本発明は、〜を含む、〜デバイスの数多くの変形例及び修正例を想到する。これらの修正形態は、本発明の関連技術分野の当業者に明らかであろうし、かつ、以下の特許請求の範囲の範囲内であることが意図される。
【００５８】
〔実施の態様〕
（１）  操作可能なカテーテルであって、
可撓性遠位シャフトを備え、前記可撓性遠位シャフトは、
近位端部と、
遠位端部と、
第１の可撓方向と、
前記第１の可撓方向とは反対の第２の可撓方向と、
内層と、
深さ、外幅、及び内幅を備える複数のノッチを備えるセグメント化中間層であって、
前記深さ、前記外幅、及び前記内幅が、可撓角度に関連しており、
前記外幅が、前記内幅よりも大きく、かつ
前記複数のノッチが、前記第１の可撓方向に曲がるように構成されている、中間層と、
外層と、を有し、
前記可撓性遠位シャフトの可撓性は、前記第１の可撓方向において任意の他の方向よりも大きい、操作可能なカテーテル。
（２）  前記複数のノッチは、第１の幾何学形状である、実施態様１に記載の操作可能なカテーテル。
（３）  前記複数のノッチのサブセットは、第２の幾何学形状の少なくとも１つを備える、実施態様２に記載の操作可能なカテーテル。
（４）  前記複数のノッチのサブセットは、第１の深さ、第１の外幅、第１の内幅、第２の深さ、第２の外幅、及び第２の内幅のうちの少なくとも１つを備える、実施態様１に記載の操作可能なカテーテル。
（５）  前記セグメント化中間層は、前記第２の可撓方向に曲がることに抵抗するように構成されている、実施態様１に記載の操作可能なカテーテル。
【００５９】
（６）  前記外層は、弾性である、実施態様１に記載の操作可能なカテーテル。
（７）  近位端部と、遠位端部と、を備える中間シャフトであって、前記中間シャフトの前記遠位端部は前記可撓性遠位シャフトの前記近位端部に接続されている、中間シャフトと、
近位端部と、遠位端部と、を備える近位シャフトであって、前記近位シャフトの前記遠位端部は前記中間シャフトの前記近位端部に接続されている、近位シャフトと、
近位端部と、遠位端部と、を備える近位ハブであって、前記近位ハブの前記遠位端部は前記近位シャフトの前記近位端部に接続されている、近位ハブと、を更に備える、実施態様１に記載の操作可能なカテーテル。
（８）  前記近位シャフトは、近位シャフト可撓性を備え、
前記中間シャフトは、中間シャフト可撓性を備え、
前記可撓性遠位シャフトの前記可撓性は、前記中間シャフト可撓性よりも大きく、
前記可撓性遠位シャフトの前記可撓性は、前記近位シャフト可撓性よりも大きく、
前記中間シャフトの前記可撓性は、前記近位シャフト可撓性よりも大きく、
前記近位シャフト可撓性から前記中間シャフト可撓性への、そして前記可撓性遠位シャフトの前記可撓性への可撓性の変化が、トルクを前記カテーテルの長さに沿って伝達することを可能にする、ことを更に含む、実施態様７に記載の操作可能なカテーテル。
（９）  前記近位ハブは、前記操作可能なカテーテルの前記第１の可撓方向を示すラベルを備える、実施態様７に記載の操作可能なカテーテル。
（１０）  前記外層は、前記第１の可撓方向を決定するために、放射線不透過性要素を備える、実施態様１に記載の操作可能なカテーテル。
【００６０】
（１１）  操作可能なカテーテルを操作する方法であって、
第１の可撓方向と、深さ、外幅、及び内幅を備える複数のノッチを備えるセグメント化中間層と、を備える可撓性遠位シャフトを備える操作可能なカテーテルを提供することであって、前記外幅は前記内幅よりも大きく、前記複数のノッチは前記第１の可撓方向に曲がるように構成されている、ことと、
前記操作可能なカテーテルを回転させることと、
前記第１の可撓方向が所望の進行方向における移動を容易にするように前記可撓性遠位シャフトを配向させることと、
前記操作可能なカテーテルを前記所望の進行方向に前進させることと、を含む、方法。
（１２）  前記第１の可撓方向とは反対の第２の可撓方向を備える操作可能なカテーテルを提供することを更に含む、実施態様１１に記載の操作可能なカテーテルを操作する方法。
（１３）  前記可撓性遠位シャフトの可撓性が、前記第１の可撓方向においては、任意の他の方向よりも大きい、操作可能なカテーテルを提供することを更に含む、実施態様１１に記載の操作可能なカテーテルを操作する方法。
（１４）  前記操作可能なカテーテルを係止する方法が、
前記可撓性遠位シャフトが血管分岐の壁に接触して前記所望の進行方向における前記可撓性遠位シャフトの移動を制限するように、前記操作可能なカテーテルを回転させ、前記第１の可撓方向に配向させることによって、前記可撓性遠位シャフトを適所に係止することを更に含む、実施態様１１に記載の方法。
（１５）  前記操作可能なカテーテルを係止する方法が、
前記可撓性遠位シャフトが血管分岐の壁に接触して前記所望の進行方向における前記可撓性遠位シャフトの移動を制限するように、前記操作可能なカテーテルを回転させ、前記第１の可撓方向及び第２の可撓方向に配向させることによって、前記可撓性遠位シャフトを適所に係止することを更に含む、実施態様１４に記載の方法。
【００６１】
（１６）  操作可能なカテーテルであって、
可撓性遠位シャフトを備え、前記可撓性遠位シャフトは、
第１の一次可撓方向と、
第２の一次可撓方向と、
第１の二次可撓方向と、
第２の二次可撓方向と、
内層と、
異なって配向されたノッチを有するセグメント化中間層と、
外層と、を有し、
前記ノッチは、
一次深さ、一次外幅、及び一次内幅を備える複数の一次ノッチであって、前記一次深さ、前記一次外幅、及び前記一次内幅が、前記一次可撓角度に関連し、前記一次外幅が、前記一次内幅よりも大きく、前記複数の一次ノッチが、前記第１の一次可撓方向に曲がるように構成されている、複数の一次ノッチと、
二次深さ、二次外幅、及び二次内幅を備える複数の二次ノッチであって、前記二次深さ、前記二次外幅、及び前記二次内幅が、前記二次可撓角度に関連し、前記二次外幅が、前記二次内幅よりも大きく、前記複数の二次ノッチが、前記第１の二次可撓方向に曲がるように構成されている、複数の二次ノッチと、を備える、操作可能なカテーテル。
（１７）  前記近位ハブは、前記第１の一次可撓方向及び前記第１の二次可撓方向を示すラベルを含む、実施態様１６に記載の操作可能なカテーテル。
（１８）  前記外層は、弾性である、実施態様１６に記載の操作可能なカテーテル。
（１９）  前記外層は、前記第１の一次可撓方向を決定するために、放射線不透過性要素を備える、実施態様１６に記載の操作可能なカテーテル。
（２０）  前記外層は、前記第１の二次可撓方向を決定するために、放射線不透過性要素を備える、実施態様１６に記載の操作可能なカテーテル。
【図１Ａ】
2020108758.tif 000003
【図１Ｂ】
2020108758.tif 000004
【図１Ｃ】
2020108758.tif 000005
【図１Ｄ】
2020108758.tif 000006
【図１Ｅ】
2020108758.tif 000007
【図２Ａ】
2020108758.tif 000008
【図２Ｂ】
2020108758.tif 000009
【図３】
2020108758.tif 000010
【図４Ａ】
2020108758.tif 000011
【図４Ｂ】
2020108758.tif 000012
【図５Ａ】
2020108758.tif 000013
【図５Ｂ】
2020108758.tif 000014
【図６Ａ】
2020108758.tif 000015
【図６Ｂ】
2020108758.tif 000016
【図７Ａ】
2020108758.tif 000017
【図７Ｂ】
2020108758.tif 000018
【図７Ｃ】
2020108758.tif 000019
【図７Ｄ】
2020108758.tif 000020
【図７Ｅ】
2020108758.tif 000021
【図８Ａ】
2020108758.tif 000022
【図８Ｂ】
2020108758.tif 000023
【図８Ｃ】
2020108758.tif 000024
【図９】
2020108758.tif 000025
【図１０】
2020108758.tif 000026
【外国語明細書】
2020108758000001.pdf